(57)【要約】　　　（修正有）【課題】病院や老人保健施設のベッドで新聞や本などを読む患者さんの姿勢にあった、光の照射方向を簡単な操作でスムーズに選択でき、また調光スイッチで必要とする手元の明るさを自由に選択できるベッドライトを提供する。灯具には、発熱量が少なくて不快感がなく、発光効率が良くて消費電力の少ない、寿命の長い光源を使用したベッドライトを提供する。【解決手段】３６０度回転し可動できるアーム６と灯具７が一体となった本体２で構成し、本体２が回転することから、調光スイッチ３が同時に回転しないように、本体の回転軸の中心部分に組み込み、調光スイッチ３のダイヤルを廻すことにより、明るさを自由に選択できる。患者さんが調光スイッチの位置が分かりやすいように、リング状に光る部分４を設け、常夜灯の機能をもたせている。フレキシブルなアーム６により、光の照射方向が微調整できる。消費電力が少なく超長寿命であるＬＥＤを光源８に使用する。【選択図】　図１
2004146315.tif 000002
【特許請求の範囲】
【請求項１】
図６、図７のようにアーム（６）と灯具（７）が一体となった本体（２）が、３６０度回転することにより患者さんが、光の照射方向を自由に選択できることを特徴とする病院や老人保健施設で利用するベッドライト。
【請求項２】
本体（２）の中心部にダイヤル式の調光装置を組み込み、本体（２）が３６０度回転しても、調光スイッチ（３）は連動せず、独立した回転により調光することができ、患者さんが、明るさを自由に選択できることを特徴とする病院や老人保健施設で利用するベッドライト。
【請求項３】
調光スイッチ（３）と本体（２）の間にリング状に光る部分（４）を設け、光源としてＬＥＤを内臓し、患者さんが、部屋内で真っ暗なときでもスイッチの位置が分かるように常夜灯の機能をもった病院や老人保健施設で利用するベッドライト。
【請求項４】
アーム（６）はフレキシブルに可動する材質を使用し、本体（２）の回転とは別に、患者さんが、照射方向を自由に微調整できる特徴をもった病院や老人保健施設で利用するベッドライト。
【請求項５】
光源（８）には、消費電力が少なく超長寿命で明るく、発熱量が少なく、調光が可能なＬＥＤを使用していることを特徴とする病院や老人保健施設で利用するベッドライト。
【請求項６】
光源（８）にコンパクトで発光効率の良いＬＥＤを使用し、灯具がとても小さく、軽量で可動しやすい特徴をもった病院や老人保健施設で利用するベッドライト。
【発明の詳細な説明】
【０００１】
【発明が属する技術分野】
本発明は、例えば、病院の患者さんが、ベッドであお向けに寝ている時に読書をする場合や、半身を起こして読書をする場合に、その状態に応じて、手軽に便利良く光の照射方向が自由に可動できるように、また、明るさが自由に調整できるように、３６０度の回転と調光装置を一体化し機能性を追求した病院や老人保健施設で利用するベッドライトである。
【０００２】
【従来の技術】
従来、アーム式のベッドライトは、壁付の本体から延びるアームを設け、水平、垂直に可動するアームの先端に灯具が付いたものが公知である。灯具は上下、前後、左右に可動し、ある程度の角度は首振りするが、上から下への一方への照射方向である。また、光源は白熱電球もしくはコンパクト蛍光灯を使用しており、発熱量が多く、手を触れると傷つく危険もあり、そして、光源の平均寿命は長いものでも約１万時間程度である。
【０００３】
【発明が解決しようとする課題】
このような従来のアーム式のベッドライトでは、あお向けや横向きになった患者さんの姿勢にあった光の照射方向を、得ることはできなかった。
【０００４】
また、光源の平均寿命が長い蛍光灯でも約１万時間程度であり、フィラメント部分からの発熱により不快感があった。
【０００５】
また、従来のベッドライトは、患者さんが必要とする明るさを自由に調整できず、夜間でもスイッチの位置が分かりにくかった。
【０００６】
また、白熱電球やコンパクト蛍光灯を光源としたベッドライトは、灯具が大きくなり可動させにくかった。
【０００７】
そこで、この発明は、上記した事情に鑑み、患者さんの状態に応じた照射方向を手軽に自由に選択できる機能と、明るさが自由に調整でき、消費電力が少なく、超長寿命で発熱量も少ないベッドライトを提供できることを目的とする。
【０００８】
【課題を解決するための手段】
即ち、請求項１の発明は、灯具（７）からの光の照射方向が上から斜め下や、下から斜め上への照射など、光の照射方向を自由に選択できるように、３６０度回転し可動できるアーム（６）と灯具（７）が一体となった本体（２）で構成したものである。
【０００９】
さらに、請求項２の発明は、本体（２）が回転することから、調光スイッチ（３）が同時に回転しないように、本体の回転軸の中心部分に組み込み、本体（２）の回転とは別に調光スイッチ（３）のダイヤルを廻すことにより、明るさを自由に選択できるように構成したものである。
【００１０】
また、請求項３の発明は、真っ暗な夜間に、患者さんが調光スイッチの位置が分かりやすいように、調光スイッチ（３）と本体（２）の間に、リング状に光る部分（４）を設け、常夜灯の機能をもたせたものである。
【００１１】
また、請求項４の発明は、本体（２）の回転による光の照射方向の選択だけでなく、患者さんの微妙な姿勢に対応すべく、もう少し細かな光の照射方向が微調整できるように、アーム（６）は、フレキシブルに可動する材質で構成したものである。
【００１２】
また、請求項５の発明は、灯具（７）より照射された部分が、光源の熱で不快にならないように、又、消費電力が少なく超長寿命で、省エネであるＬＥＤを光源に使用したことである。
【００１３】
そして、請求項６の発明は、光源（８）に超小型で発光効率がよいＬＥＤを使用し、灯具（７）を小さく軽量でコンパクトにして患者さんが可動させやすいようにしたことである。
【００１４】
【発明の実施の形態】
以下この発明について添付図面を参照にしながら説明する。図１は、この発明の第一実施例に係るベッドライトを示すものであり、フレキシブルな材質のアーム（６）の先端に、自在に首を振る灯具（７）を取り付けたものが一体となり、本体（２）に取り付けている。
【００１５】
本体（２）は、手で回転させやすい形状で、固定取付ベース（１）に３６０度回転できるように取り付けられており、固定取付ベースは、壁面（Ｗ）に取付ビス（５）で確実に取り付けられている。回転軸の部分には、調光スイッチ（３）が組み込まれており、本体（２）の回転とは連動せず、独立した回転で明るさを調整できるようになっている。
【００１６】
図２は、図１から本体（２）が１８０度回転した状態を示してある。固定取付ベース（１）は、壁面（Ｗ）に固定されたまま動かず、本体（２）は調光スイッチ（３）の部分を回転軸に１８０度回転し、灯具（７）が図１の下向きから上向きへと可動することにより、光の照射方向（Ｌ１）は、下向きから（Ｌ２）の上向きへ変わるようになっている。
【００１７】
図３・図４は、壁面（Ｗ）に取り付けた状態を側面から見た状態を示してある。また、図３は、調光スイッチ（３）を矢印の方向に押し込み、電源を切った状態である。電源を入れるには、図４に示すように調光スイッチ（３）をもう一度押すことにより引き出して、点灯するようになっている。
【００１８】
また、図１のフレキシブルなアーム（６）により光の照射方向の微調整が出来るようになっている。
【００１９】
そして、調光する場合には、その引き出した調光スイッチ（３）を回転させて、明るくしたり、暗くしたり、調節できるようになっている。
【００２０】
図１の本体（２）と調光用スイッチ（３）の間にリング状に光る部分（４）を設け、常時ＬＥＤで点灯し、夜間でもスイッチの位置が分かるようになっている。
【００２１】
したがって、例えば、患者さん（Ａ）がベッドから上半身を起こして、新聞や本などを読むような場合には、図６のようにアーム（６）は本体（２）の上側になり、アーム（６）の先端にある灯具（７）から出る光（Ｌ１）は、上から斜め下への照射となり、新聞や本などの手元が明るくなり読みやすい状態になる。
【００２２】
一方、患者さん（Ｂ）がベッドであお向けになって、寝転んだまま、手で新聞や本を持って読む場合には、図７のようにアーム（６）が本体（２）の下側になるように、本体（２）を１８０度回転させて、アーム（６）の先端にある灯具（７）から出る光（Ｌ２）を、下から斜め上への照射とさせることにより、新聞や本の手元が明るい状態にすることができる。
【００２３】
なお、ＬＥＤの発光効率は飛躍的に向上し、６０Ｗの白熱電球と同等の明るさを約４Ｗで達成可能である。また、ＬＥＤは超小型軽量で、灯具（７）の大きさをかなり小さくすることができ、取手（９）を設けて患者さんがスムーズに可動させることができる。
【００２４】
次に、第二実施例として、学習や作業を行なうデスク前の壁面へこの発明の照明装置を取り付けて使用することができる。その場合も、作業する人が必要とする光の照射方向を、本体（２）を回転させることにより、簡単に素早く、自由に選択することができる。また、調光スイッチ（３）を操作することで、必要な明るさを自由に選択することができる。
【００２５】
その他にも、例えば台所のキッチン上部の壁面に取り付け、流し台の手元を明るく照らしたり、本体（２）を回転させて素早く、コンロの方向を照らすことができる。また階段の壁面に取り付けて階段や天井への間接照明として使用したり、車のルームライトとして使用すること等、各種の幅広い分野に応用できる。
【００２６】
【発明の効果】
以上説明したように本発明のベッドライトは、患者さんがベッドで読書など手元を照らしたい場合に、患者さんの種々な姿勢に応じて、本体（２）を回すという極く簡単な操作により、灯具からの照射方向を自由に選択することができる。
【００２７】
その場合も、光源（８）にＬＥＤを使用しコンパクトで軽量な灯具である為、灯具と一体となった本体（２）を回転させることも、患者さんには負担もなく、とてもスムーズに行える。また、フレキシブルなアーム（６）により、取手（９）を持って微妙な位置への可動もみごとに対応できる。
【００２８】
また、調光スイッチ（３）により、可変調光をすることが出来、患者さんが必要とする適切な照度を得ることが出来る。そして、調光することで消費電力の節約につながり、経済的な効果を得ることができる。
【図面の簡単な説明】
【図１】この発明の第１実施例に係るベッドライトを示す説明図
【図２】図１のベッドライトを回転させて使用する場合の説明図
【図３】この発明の本体側要部を示す側面図
【図４】調光スイッチをオンにして、調光ダイヤルが本体より飛び出した状態の側面図
【図５】この発明の本体側要部を正面から見た説明図
【図６】患者さんがベッドから上半身を起こして使用するときの状態を示す説明図
【図７】患者さんがベッドであお向けになって使用するときの状態を示す説明図
【符号の説明】
１　　固定取付ベース
２　　本体
３　　調光スイッチ
４　　常夜灯
５　　取付ビス
６　　アーム
７　　灯具
８　　光源（ＬＥＤ）
９　　取手
Ｌ１　図６で使用する場合の灯具から照射される光の照射方向
Ｌ２　図７で使用する場合の灯具から照射される光の照射方向
【図１】
2004146315.tif 000003
【図２】
2004146315.tif 000004
【図３】
2004146315.tif 000005
【図４】
2004146315.tif 000006
【図５】
2004146315.tif 000007
【図６】
2004146315.tif 000008
【図７】
2004146315.tif 000009